(57)【特許請求の範囲】
【請求項１】
スイッチと、
該スイッチの近傍に併設設置された発光素子と、
該発光素子の発光状態を示す表示窓と、
前記発光素子からの発光を該表示窓に導くための導光部材と、
前記スイッチを押し圧するための操作ボスと、
押し釦押し圧面の後方に垂直に向かい合うようにかつ一方が他方を覆うように設けられた２つの大きさの異なる遮光性のコの字型カバーと、
押し釦押し圧によって屈折するビンジ部と、
前記ヒンジ部より屈折する部分に前記２つのコの字型カバーの一方と前記操作ボスを備え、
前記発光素子が前記２つのコの字型カバーの中央に挿入されるように、かつ前記導光部材が該発光素子の前方に配置され、押し釦押し圧で前記２つのコの字型カバーがより重なり合う方向に動作することを特徴とする押し釦構造。
【発明の詳細な説明】
【０００１】
【発明の属する技術分野】
本発明は、押しボタンの押し圧操作に伴う発光素子からの横方向への発光漏れを防止するとともに、該発光を正面の導光部材に導く押しボタン構造に関するものである
【０００２】
【従来の技術】
以下、従来例について説明する。図４はＶＴＲを正面から見た図でＶＴＲの左半分を示したものであり、図５は図４のＡ−Ａ’線における断面透視図である。
【０００３】
従来より、家庭用電子装置、例えばＶＴＲと略される磁気記録再生装置の全面パネル又はリモコン操作部に設けられる押しボタンには、その近傍にスイッチ機能を意味する機能表示がホットスタンプ、シルク印刷等によって形成されるか若しくは押しボタンの押し圧面に形成される。
【０００４】
この操作表示付き押しボタンの従来例を、図４及び図５に示すＶＴＲの断面透視図によって説明する。
【０００５】
まず、図４において、１はＶＴＲの前面パネルでその一部を示したものである。２はカセット挿入口でＶＴＲカセットを挿入又は排出するためのものでその一部を示したものである。３及び３の近傍には再生や巻き戻し等の各種スイッチを集中的に配備したものであり、５０はＶＴＲの電源をＯＮ／ＯＦＦするためのＰＯＷＥＲ釦でフロントパネルの左上方向に配備される。４ｃはＰＯＷＥＲスイッチの状態（ＯＮ／ＯＦＦ）を示す表示窓である。
【０００６】
次に、図５では図４で示したＡ−Ａ’線で切断して、それを横から見たＰＯＷＥＲ釦の断面透視図である。ここで、４ｄは押し釦５０に植設された操作ボスでスイッチ５を押すためのものである。５はＶＴＲの電源ＯＮ／ＯＦＦのためのＰＯＷＥＲスイッチ、６は各種スイッチやＶＴＲの表示等を行うための回路が配置された回路基板、７は回路基板６を固定し、メカニズム等が搭載されたシャーシ、８は電源のＯＮ／ＯＦＦ状態を示すためのＬＥＤ、５１はＬＥＤを固定し横方向の光漏れを防止するためのＬＥＤフォルダーであり、９はＬＥＤ８の光を表示窓４Ｃに導くための導光部材である。
【０００７】
ＰＯＷＥＲスイッチのＯＮ／ＯＦＦ操作によって、ＬＥＤ８が点灯若しくは消灯し、点灯時（ＰＯＷＥＲ  ＯＮ時）にＬＥＤ８からの光が導光部材９により表示窓４ｃを通じＶＴＲ外部に表示される。また、ＰＯＷＥＲ  ＯＮ時に、このＬＥＤ８が点灯するが、ＬＥＤ８の光は直進（表示窓４ｃ方向）だけではなく、横方向にも光を発し、他の操作釦の表示窓（図示せず）にＬＥＤ８の光が漏れ、あたかも他のスイッチがＯＮしているよう見えてまうことがある。このような誤認識を防止するため、横方向の光漏れを防止し、光を集光するためのＬＥＤフォルダ５１を別途設けている。
【０００８】
このため、ＶＴＲの全面パネル部分の組立においては、まずこのフォルダーを基板６に挿入して固定し、その後ＬＥＤ８の足を基板６に挿入して半田付けをしなければならず、取り付けは容易ではなかった。
【０００９】
【発明が解決しようとする課題】
スイッチのＯＮ／ＯＦＦ状態を示す表示窓の表示の誤認識を防止するために必要である、ＬＥＤフォルダ５１をなくし、組立時間及び部品コストの削減を図るとともに押し釦の構造を特殊構造とすることで同等の効果を有するようにする。
【００１０】
【課題を解決するための手段】
本件発明は、スイッチと、該スイッチの近傍に併設設置された発光素子と、該発光素子の発光状態を示す表示窓と、前記発光素子からの発光を該表示窓に導くための導光部材と、前記スイッチを押し圧するための操作ボスと、押し釦押し圧面の後方に垂直に向かい合うようにかつ一方が他方を覆うように設けられた２つの大きさの異なる遮光性のコの字型カバーと、押し釦押し圧によって屈折するビンジ部と、前記ヒンジ部より屈折する部分に前記２つのコの字型カバーの一方と前記操作ボスを備え、前記発光素子が前記２つのコの字型カバーの中央に挿入されるように、かつ前記導光部材が該発光素子の前方に配置され、押し釦押し圧で前記２つのコの字型カバーがより重なり合う方向に動作することを特徴とする押し釦構造である。
【００１１】
【発明の実施の形態】
以下本発明の一実施例の釦構造について、図面を参照しながら説明する。
【００１２】
図１は本発明の操作表示付き押し釦の斜視図であり、図２は本発明の操作表示付き押し釦の断面透視図で、従来例で示したのと同様Ａ−Ａ’線におけるものであり、図３は本発明の操作表示付き押し釦の動作時（スイッチ押し圧時）のＡ−Ａ’線における断面透視図である。尚、従来例と同一部品については、同一符号を付してその説明を省略する。
【００１３】
従来例との相違点は、ＰＯＷＥＲ釦４にＬＥＤフォルダ５１の機能を持たせるため、ＰＯＷＥＲ釦の構造を特殊構造としたものである。
【００１４】
図１に示すように、従来例の押し釦にコの字型固定カバー４ｈとコの字型の可動カバー４ｉを設け横方向の光漏れと光を集光できるようにする。なお、４ｆは釦を押し圧したときに屈折するヒンジ部分であり、４ｇは押しボタンをフロントパネル１に固定するための穴で従来例と同様である。
【００１５】
図２に示すようにＬＥＤ８の発光部分がコの字型固定カバー４ｈとコの字型の可動カバー４ｉの間に挿入されるよう取り付けられる。この状態ではコの字型固定カバー４ｈとコの字型の可動カバー４ｉのそれぞれのコの字部分によって横方向の光が遮られると共に光が導光部材９に集光される。
【００１６】
図３は、押し釦動作時（押し釦押し圧時）の状態を示したものであり、押しボタン４のヒンジ部分４ｆで折れまがり、操作ボス４ｄがスイッチ５を押し圧してスイッチ５がＯＮとなる。このＯＮ時にもコの字型固定カバー４ｈとコの字型の可動カバー４ｉの間隔が狭まるようになり、釦を押していない時と同様横方向の光漏れが防止され、従来例で示したＬＥＤフォルダ５１と同様な役割を果たす。
【００１７】
【発明の効果】
横方向の光漏れを防止し、光を集光するためのＬＥＤフォルダが不要となり、別途フォルダをＬＥＤ取り付け基板に取り付ける必要が無くなり、組立が簡単で組立工数及び部品コストの削減が図れる。
【図面の簡単な説明】
【図１】本発明の一実施例である操作表示付き押し釦の斜視図である。
【図２】本発明の一実施例であるフロントパネルのＡ−Ａ’線における操作表示付き押し釦の非動作時の断面透視図である
【図３】本発明の一実施例であるフロントパネルのＡ−Ａ’線における操作表示付き押しボタンの動作時の断面透視図である。
【図４】従来例のＶＴＲを正面から見た図でＶＴＲの左半分を示した図である。
【図５】従来例のフロントパネルのＡ−Ａ’線における操作表示付き押しボタンの断面透視図である。
【符号の説明】
４  ：押し釦スイッチ
４ｃ：表示窓
４ｄ：操作ボス
４ｆ：ヒンジ部
４ｈ：コの字型の固定カバー
４ｉ：コの字型の可動カバー
５  ：スイッチ
８  ：ＬＥＤ
９  ：導光部材
【図１】
0003579285.tif 000002
【図２】
0003579285.tif 000003
【図３】
0003579285.tif 000004
【図４】
0003579285.tif 000005
【図５】
0003579285.tif 000006